(57)【要約】      （修正有）【課題】着脱が簡単、安全で、誰でも使用可能な自転車のビンディング・ペダルとシューズを提供する。【解決手段】ペダル１は、軸フレーム１０と外フレーム１１とを組み合わせてなり、内側に磁性の吸着手段３を固定して設け、シューズ２の底面に該磁性の吸着手段に対応する被吸着手段４を設け、該ペダルの外フレームと互いに係合するコ字形の凹溝５を具えて構成する。【選択図】図１
0003151000.tif 000002
【実用新案登録請求の範囲】
【請求項１】
ペダルと、シューズとを含んでなり、
該ペダルが、軸フレームと外フレームとを組み合わせてなり、内側に磁性の吸着手段を固定して設けてなり、
該シューズが、底面に該磁性の吸着手段に対応する被吸着手段を設けてなり、該ペダルの外フレームと互いに係合するコ字形の凹溝を具えてなることを特徴とする自転車のビンディング・ペダルとシューズ。
【請求項２】
前記磁性の吸着手段が、中空の孔を具えたブロック体と、磁性体と、弾性体と、係合部材とを含んでなることを特徴とする請求項１に記載の自転車のビンディング・ペダルとシューズ。
【請求項３】
前記中空の孔が、一端を傾斜して形成することを特徴とする請求項２に記載の自転車のビンディング・ペダルとシューズ。
【請求項４】
前記ブロック体が、ペダル上に設けられネジで穿設して固定されることを特徴とする請求項２に記載の自転車のビンディング・ペダルとシューズ。
【請求項５】
前記シューズの底面の被吸着手段が、少なくとも底面と平らか、或いは凹設することを特徴とする請求項１に記載の自転車のビンディング・ペダルとシューズ。
【請求項６】
前記シューズが、内側の端縁部上に該凹溝の両側に対応する位置に表示を設けてなることを特徴とする請求項１に記載の自転車のビンディング・ペダルとシューズ。
【請求項７】
前記凹溝が、両側の対向する溝の同一側面に斜面を形成することを特徴とする請求項１に記載の自転車のビンディング・ペダルとシューズ。
【考案の詳細な説明】
【技術分野】
【０００１】
この考案は、自転車のビンディング・ペダルとシューズに関し、特に騎乗者のシューズをペダルに位置決めする手段を具えた自転車のビンディング・ペダルとシューズに関する。
【背景技術】
【０００２】
自転車は、環境保護と、短距離を移動する場合の交通手段の代替にするという需要に合わせて使用されるようになってきている。
【０００３】
よって、自転車の愛好者の多くは、自転車を日常生活の交通手段の一つにしている。
【０００４】
特に、この数年、自転車に騎乗する運動が幅広く推進されている。
【０００５】
その主な原因は、自転車に乗ることが環境保護の需要に合わせてエネルギーの消費を節減し、もう一方では体を鍛える効果を具え、二つの目的を同時に達成することができるからである。
【０００６】
また、自転車競技は現在、人気のあるスポーツの一つになっている。選手達は体力、筋力、忍耐力、精神力を長時間鍛えてなり、その栄誉は平凡でないだけでなく、多くの人の注目をひきつけるものである。
【０００７】
自転車に騎乗する場合、両足を自転車のペダルに乗せて片足ずつ交互にペダルを踏み込むことにより、「推す」と「引く」の動作に交換して走行速度を生み出す目的を達成する。
【０００８】
前述のペダリング方法は、通常、騎乗する場合、或いは競技の場合にかかわらず、最も好ましいペダリング効率をえることができ、脚部で踏み込む力全てをペダルに伝達して力が低減されることがない。
【０００９】
よって、騎乗者のシューズと自転車のペダルとの間を緊密に接続することは非常に重要なことが明らかだということがわかる。
【００１０】
このため、特別な一部の運動用、競技専用の自転車などには、いわゆる係合手段、位置決め手段などペダルとシューズとを接続するための手段が設けられている。
【００１１】
よって、騎乗者が脚部でペダルをこぐ場合、係合手段、或いは位置決め手段などの一時的に位置決めする目的を達成して、ペダルの回転に便利で、且つ最も高いペダリング効率を得ることができる。
【００１２】
しかしながら、従来の係合手段、位置決め手段などの手段は、種類が非常に多く、それぞれの操作方法がいずれも異なるため、初心者には使いこなすまでに適宜な時間が必要になる。
【００１３】
また、常用者でも、操作方法に慣れていなければスムーズに着脱することができないため、シューズをスムーズに外すことができずに、支持できない、均衡を失うなどが原因で車体を倒すなどの事故を引き起こすことがある。
【００１４】
上述の係合手段、或いは位置決め手段の中には、シューズと合わせて改良を加えた製品がある。
【００１５】
即ち、靴底の該係合手段に対応する位置に突出した係合部を設け、騎乗する前に先に該係合部と係合手段、或いは位置決め手段とを係合して位置決めする。
【００１６】
よって、自転車に騎乗して運動する場合、最も好ましいペダリング効率を得ることができる。
【００１７】
しかしながら、前述の係合部を具えたシューズは、通常、一般の地面を走行することができない。特に店内（室内）の床などは、該シューズで走行すると破壊することがある。
【００１８】
また、騎乗者が前述のシューズを着用している時に突然、緊急を要する事態に直面しても、すばやく脚部とペダルとを外す、或いは車体を捨てて逃げるなどをすることが非常に難しい。
【００１９】
よって、騎乗者が傷を受けるような事態が発生し易い。
【００２０】
さらに、自転車に騎乗して運動する過程において、短時間の停止は支持効果を失うことになるため、車体を倒すことになる。
【考案の概要】
【考案が解決しようとする課題】
【００２１】
この考案は、着脱が簡単、安全で、誰でも使用可能な自転車のビンディングペダルとシューズを提供することを課題とする。
【課題を解決するための手段】
【００２２】
そこで、本考案の考案者は従来の技術に見られる欠点に鑑みて鋭意研究を重ねた結果、ペダルと。シューズとを含んでなり、
該ペダルが、軸フレームと外フレームとを組み合わせてなり、内側に磁性の吸着手段を固定して設けてなり、
該シューズが、底面に該磁性の吸着手段に対応する被吸着手段を設けてなり、該ペダルの外フレームと互いに係合するコ字形の凹溝を具えてなる。
【００２３】
以下、この考案について具体的に説明する。
請求項１に記載する自転車のビンディング・ペダルとシューズは、ペダルと、シューズとを含んでなり、
該ペダルが、軸フレームと外フレームとを組み合わせてなり、内側に磁性の吸着手段を固定して設けてなり、
該シューズが、底面に該磁性の吸着手段に対応する被吸着手段を設けてなり、該ペダルの外フレームと互いに係合するコ字形の凹溝を具えてなる。
【００２４】
請求項２に記載の自転車のビンディング・ペダルとシューズは、請求項１における磁性の吸着手段が、中空の孔を具えたブロック体と、磁性体と、弾性体と、係合部材とを含んでなる。
【００２５】
請求項３に記載の自転車のビンディング・ペダルとシューズは、請求項２における中空の孔が、一端を傾斜して形成する。
【００２６】
請求項４に記載の自転車のビンディング・ペダルとシューズは、請求項２におけるブロック体が、ペダル上に設けられネジで穿設して固定される。
【００２７】
請求項５に記載の自転車のビンディング・ペダルとシューズは、請求項１におけるシューズの底面の被吸着手段が、少なくとも底面と平らか、或いは凹設する。
【００２８】
請求項６に記載の自転車のビンディング・ペダルとシューズは、請求項１におけるシューズが、内側の端縁部上に該凹溝の両側に対応する位置に表示を設けてなる。
【００２９】
請求項７に記載の自転車のビンディング・ペダルとシューズは、請求項１における凹溝が、両側の対向する溝の同一側面に斜面を形成する。
【考案の効果】
【００３０】
この考案の自転車のビンディング・ペダルとシューズは、誰にでも簡単で、すばやく、確実に係合することができ、自転車走行の安全性を高めるという効果を有する。
【図面の簡単な説明】
【００３１】
【図１】この考案のビンディング・ペダルとシューズとを示した説明図である。
【図２】この考案のビンディング・ペダルとシューズのペダルを示した分解図である。
【図３】この考案のビンディング・ペダルとシューズのペダルを係合する状態を示した説明図である。
【図４】この考案のビンディング・ペダルとシューズのペダルを係合する状態を示した側面図である。
【考案を実施するための形態】
【００３２】
この考案は、着脱が簡単、安全で、誰でも使用可能な自転車のビンディング・ペダルとシューズであって、ペダルと、シューズとを含んでなり、該ペダルが、軸フレームと外フレームとを組み合わせてなり、内側に磁性の吸着手段を固定して設けてなり、該シューズが、底面に該磁性の吸着手段に対応する被吸着手段を設けてなり、該ペダルの外フレームと互いに係合するコ字形の凹溝を具えてなる。
かかる自転車のビンディング・ペダルとシューズの構造と特徴を詳述するために具体的な実施例を挙げ、図示を参照にして以下に説明する。
【実施例１】
【００３３】
図１は、この考案のビンディング・ペダルとビンディング・シューズとを示したものである。
【００３４】
図面によれば、この考案は、ペダル１と、シューズ２とを含んでなる。
【００３５】
該ペダル１は、ペダルの曲折桿に一端が軸接した軸フレーム１０と、コ形の外フレーム１１とを組み合わせてなる。該外フレーム１１は、表面の適宜な位置に警告灯１２を具えてなる。
【００３６】
該シューズ２は、一般のシューズと大差のない本体と外観を具えてなり、踏み込むことができ、自転車のペダル１上に接続して設けられる。
【００３７】
図２は、この考案の分解図を示し、図３が、この考案のペダルとシューズとを組み合わせる状態を示した説明図である。
【００３８】
図面によれば、上述のペダル１との軸フレーム１０と、外フレーム１１との間に透かし彫りのように設けられた空間の適宜な位置に自分で着脱することができる磁性の吸着手段３を設けてネジ３０２で穿設して固定することができる。
【００３９】
また、シューズ２の底面には、少なくとも一以上の該底面と平らに、或いは凹設して該吸着手段３に吸着する被吸着手段４と、該ペダル１の外フレーム１１と互いに接続するコ形の凹溝とを設ける。
【００４０】
よって、騎乗する場合、シューズ２をペダル１上に乗せれば、底面の凹溝５と外フレーム１１とが互いに嵌合して位置決めされ、吸着手段３が対応する被吸着手段４を吸着して、確実に安定した接続、位置決めをする目的を達成することがすることができる。
【００４１】
このため、騎乗者が踏み込む動作を行う場合、接続が安定しているため、脚部の「推す」と「引く」の操作の利用が便利になり、速度を速める目的を達成して、最も好ましいペダリング効率を得ることができる。
【００４２】
同時に、突発的な、或いは緊急な事態に直面し、脚部とペダル１とを外して、車体を放棄して離れる必要がある場合、上向きに脚を上げる（抜く）だけで、すぐに脚部とペダルとを分離することができ、脚で支えて平衡を保つ目的を達成するか、或いは騎乗者と車体とを離して騎乗者の安全を確保する目的を達成することができる。
【００４３】
上述の磁性の吸着手段３は、中空の孔３０１を具えたブロック３０と、磁性体３１と、弾性体３２と、係合部材３３とを含んでなる。
【００４４】
該ブロック３０の孔３０１は、傾斜して設けられ、被吸着部材４に対応して嵌接し、内部に磁性体３１と、弾性体３２と、係合部材３３の順に固定して設ける。
【００４５】
該磁性体３１は、強力な磁性の吸着力を具えてなり、被吸着手段４を吸着する。
【００４６】
該弾性体３２は、磁性体３１に当接するために供し、シューズ２を長時間踏み込むことで凹んだり、吸着力に影響が出ることを防ぐ。
【００４７】
該係合部材３３は、弾性体３２の他端を当接して固定し、弾性体３２の弾性を維持する。
【００４８】
また、初心者、或いは初めて使用する時にシューズ２とペダル１とを対応して係合し易くするため、特別にシューズ２の内側の端縁部上にコ字形の凹溝５の両側の溝に対応する位置にそれぞれ、表示線、矢印などの表示２０を設ける。
【００４９】
よって、係合する時に、先に正確な位置を確認してガイドすることができ、係合するための操作方法を習得することや、操作方法に慣れる時間を短縮することができる。
【００５０】
該シューズ２と、ペダル１の係合を迅速、確実にするため、シューズ２の底面のコ字形の凹溝５の両側に対向して設けられた溝の同一の側壁面に斜面５０を形成する。即ち、両溝の同じ側の壁面（前方）が斜面に、もう一方の側面（後方）が垂直に形成されて、すばやく係合するようにガイドして、有効に係合するようにする。
【００５１】
上述のように、この考案のビンディング・ペダルよシューズは、磁性によって互いに吸着する係合方法で、シューズをすばやく自転車のペダルと着脱することができる。
【００５２】
また、初めての使用者に便利なように表示を設けてガイドすることができるため、すばやく、確実に係合することができ、滑動することを防止する効果を具えた溝の両壁面などで製品の実用性を大幅に高めることができる。
【００５３】
さらに、該シューズの底面はどのような突起も設けられていないため、一般のシューズと異なる部分がない。
【００５４】
よって、使用過程において、好みに応じていつでも脚部を離して自転車を平行に支持することができ、安全性や利便性の面でも優れている。
【００５５】
また、シューズ底面に突起などがないため、室内外の地面を自由に走行しても、シューズや、地面を傷つけることがない。
【００５６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【符号の説明】
【００５７】
１        ペダル
１０      軸フレーム
１１      外フレーム
１２      警告灯
２        シューズ
２０      表示
３        吸着手段
３０      ブロック
３０１    孔
３０２    ネジ
３１      磁性体
３２      弾性体
３３      係合部材
４        被吸着手段
５        凹溝
５０      斜面
【図１】
0003151000.tif 000003
【図２】
0003151000.tif 000004
【図３】
0003151000.tif 000005
【図４】
0003151000.tif 000006